(57)【要約】【課題】  リールストッパを備えたリール型キーホルダーに適用できる低コストの施錠確認支援装置を提供すること。【解決手段】  施錠確認支援用電子装置は、リールケース２にヒンジにより取付けられている電子装置用ケース４に配置された電子時計とキー使用センサ２０で構成されている。電子装置用ケース４はリールストッパ３の開閉蓋として機能する。キー使用センサ２０は、リールストッパ３の開閉蓋の開閉を検出し、ストラップ引き延ばし信号とストラップ巻き戻し信号を発生する。前記電子時計は、ストラップ引き延ばし信号が発生してから所定時間経過後にストラップ巻き戻し信号が発生すると、その時の現在時刻を確認時刻として記憶する。前記確認時刻は、確認ボタン１７の操作によって液晶表示部１６に表示される。【選択図】  図２
2007031952.tif 000002
【特許請求の範囲】
【請求項１】
リールストッパを備えたリール型キーホルダーと施錠確認支援用電子装置とで構成された施錠確認支援装置であって、
施錠確認支援用電子装置は、ストラップ巻き戻し信号とストラップ引き延ばし信号とをそれぞれ発生させるキー使用センサと、前記ストラップ巻き戻し信号が発生したときにその時刻を確認時刻としてデータ記憶部に記憶し且つ確認信号が入力されたときには前記データ記憶部に記憶されている確認時刻を読み出して表示器に表示させる電子時計とで構成されていることを特徴とする施錠確認支援装置。
【請求項２】
前記キー使用センサは前記リールストッパによるリールの回転規制と規制解除を検出してストラップ巻き戻し信号とストラップ引き延ばし信号とをそれぞれ発生させるセンサであることを特徴とする請求項１に記載の施錠確認支援装置。
【請求項３】
前記リール型キーホルダーはリールストッパをカバーする開閉蓋を備えたものであること、及び、前記キー使用センサは前記開閉蓋の開閉を検出してストラップ引き延ばし信号とストラップ巻き戻し信号とをそれぞれ発生させるセンサであることを特徴とする請求項１に記載の施錠確認支援装置。
【請求項４】
前記確認信号は、前記電子時計に備えられた確認ボタンの操作により発生する信号であることを特徴とする請求項１に記載の施錠確認支援装置。
【発明の詳細な説明】
【技術分野】
【０００１】
本発明は、ゼンマイバネにより付勢されたストラップが巻回されたリールをリールケース内に収納し、前記リールケースのストラップ案内穴を通してケース外に露出させた前記ストラップの自由端にキー取付け金具を固定し、更に前記リールの回転を選択的に規制するリールストッパを備えたリール型キーホルダーに適用される施錠確認支援装置に関する。
【背景技術】
【０００２】
第１の従来の施錠確認支援装置としては、特許文献１と特許文献２に開示されたものがある。この第１の従来の施錠確認支援装置は、非特許文献１に開示されている通り、楽キーケースの商品名で唯一実用化されている。この実用化商品は、キーケースにキー出し入れセンサと電子時計と確認ボタンを備えて構成されている。前記電子時計は計時部、記憶部、制御部及び表示器とで構成されたものであり、前記キー出し入れセンサのキー戻し信号が発生すると前記制御部は現在時刻を施錠確認時刻として前記記憶部に記憶する。そして、前記確認ボタンが操作されたときには、前記制御部は前記記憶部に記憶されている施錠確認時刻を読み出して前記表示器に表示する。表示された施錠確認時刻を見て、利用者は施錠した時刻を知ることが出来るので、施錠し忘れを防止できる。
【０００３】
しかしながら上述の実用化商品や特許文献１に開示の施錠確認支援装置は、キーケースに収納できるキーが１個だけであること、収納できるキーの形状やサイズに制限があることから、利用し難いという問題がある。更に、上記の第１の従来の施錠確認支援装置は、これに採用されているキー出し入れセンサが特許文献２に開示されている如く非常に複雑であるため、製造コストが高いという問題がある。
【０００４】
特許文献２には、押え部材によってキー本体をキー収納室の壁面に押圧してキーを保持するキーケースと、前記キーケースからキーが取り出されたこと又は前記キーケースにキーが戻されたことを検出するキー出し入れセンサと、前記キー出し入れセンサの出力信号が発生した時刻を施錠時刻として記憶し表示する電子時計とから構成された施錠確認支援装置が開示されている。そして、前記押え部材を回転軸に対して直角に形成された凹部とその左右に形成された一対の翼状押え部とを有する合成樹脂製カム状押え部材とし、前記壁面の方向にバネによって付勢されるようにして前記キー収納室の出入口近くに回転可能に配置されている。このように、第１の従来の施錠確認支援装置は、キー出し入れセンサの構造が複雑であり、組立ても容易ではないのである。
【０００５】
更に、第１の従来の施錠確認支援装置は、キーとキー出し入れセンサを収納するプラスチック製キーケースが特殊な構造であるので、自動車用キーの如きキーヘッドの大きいキーを収納できないという問題がある。このため、サイズや外観を変えた多種類のデザインのプラスチック製キーケースを製造することが要求されているが、デザインを変更するたびに金型を製造しなければならないので、メーカーの経済的負担が大きく、これは実現困難な状況にある。
【０００６】
そこで、特許文献３に開示されている通り、自動車用キーも保持でき、複数のキーを保持できるキーケースに適用された施錠確認支援装置が提案された。この第２の従来の施錠確認支援装置は、第１板状部材と第２板状部材を有する定期券入れ型の二つ折りキーケースに適用されたものであって、夫々の一端を回転可能にしてキーケースの第２板状部材に取付けられた複数の金属製アーム型キー留め具と、制御部と記憶部と表示器を具備し前記キーケースの第１板状部材に取付けられた電子装置と、前記キーケースの第２板状部材に取付けられて前記金属製アーム型キー留め具の回転を検出してキー出し入れ信号を発生する複数のキー出し入れセンサとで構成され、前記制御部は前記キー出し入れ信号が発生したときにその時刻を施錠確認時刻として前記記憶部に記憶させ、確認信号が入力されたときに前記記憶部から施錠確認信号を読み出して前記表示器に表示させるものである。
【０００７】
この第２の従来の施錠確認支援装置によれば、複数のキーの夫々の施錠確認時刻が記憶され、確認ボタンの操作で当該キーの施錠確認時刻が表示されるものであるから、正しく複数のキーを保持するキーケースの施錠確認支援装置として機能している。しかしながら、この従来の施錠確認支援装置は、キー出し入れセンサが特殊な構造であるために、製造コストが高くなり、未だに実用化されていない。
【０００８】
ところで、バネにより時計方向又は反時計方向に付勢され且つストラップが巻回されたリールをケース内に収納し、前記ストラップの自由端を前記ケースのストラップ案内穴を通してケース外に露出させ、キー取付け金具を前記ストラップの自由端に取付けて構成されたストラップ引き延ばし型キーホルダー、即ちリール部と前記リール部から所定長さだけ引き延ばしでき且つ前期リール部に自動的に引き戻されるストラップの自由端に取付けられたキー取付け金具とから成るリール型キーホルダーはいくつもの商品が市販されているが、特許文献４にも開示されている。
【０００９】
リール型キーホルダーはリール部をベルトに取り付けたまま施解錠行為ができるのが特長であり、多くの利用者が存在しているようである。そこで、ストラップ引き延ばし型キーホルダーに備えられて利用者の施錠確認を支援する施錠確認支援装置の提供が求められてきた。ところが、リール型キーホルダーはキーを露出して携帯するものである。このため、特許文献１や特許文献２に開示の施錠確認支援装置に採用されているキー出し入れセンサを採用できないという問題があった。
【特許文献１】特許第３３１２９００号公報
【特許文献２】特開２００４−３３２４８１号公報
【特許文献３】特開２００４−１２４６１０号公報
【特許文献４】実開平３−１０６９９０号公報
【非特許文献１】日経流通新聞  ２００３年８月５日  「鍵を使った時刻分かる」
【発明の開示】
【発明が解決しようとする課題】
【００１０】
本発明が解決しようとする第１の課題は、リールストッパを備えたリール型キーホルダーに適用できる低コストの施錠確認支援装置を提供することである。
本発明が解決しようとする第２の課題は、複数のキーの施錠確認ができるリール型キーホルダー用施錠確認支援装置を提供することである。
【課題を解決するための手段】
【００１１】
上記第１と第２の課題を解決するために、リールストッパを備えたリール型キーホルダーの利用者の一連の施錠行為には、リールストッパによるリールの回転規制と規制解除が必ず含まれることに着目した。そして、上記課題を解決する施錠確認支援装置を、リールストッパを備えたリール型キーホルダーと施錠確認支援用電子装置とで構成し、施錠確認支援用電子装置を前記リールストッパによるリールの回転規制と規制解除を検出してストラップ巻き戻し信号とストラップ引き延ばし信号をそれぞれ発生させるキー使用センサと、前記ストラップ巻き戻し信号が発生したときにその時刻を確認時刻としてデータ記憶部に記憶し且つ確認信号が入力されたときには前記データ記憶部に記憶されている確認時刻を読み出して表示器に表示させる電子時計とで構成した。
【００１２】
また、上記第１の課題を解決するために、開閉蓋付リールストッパを備えたリール型キーホルダーの利用者の一連の施錠行為には、リールストッパによるリールの回転規制と規制解除と開閉蓋の開閉が必ず含まれることに着目した。そして、上記課題を解決する施錠確認支援装置を、開閉蓋付リールストッパを備えたリール型キーホルダーと施錠確認支援用電子装置とで構成し、施錠確認支援用電子装置を前記開閉蓋の開閉を検出してストラップ引き延ばし信号とストラップ巻き戻し信号とをそれぞれ発生させるキー使用センサと、前記ストラップ巻き戻し信号が発生したときにその時刻を確認時刻としてデータ記憶部に記憶し且つ確認信号が入力されたときには前記データ記憶部に記憶されている確認時刻を読み出して表示器に表示させる電子時計とで構成した。
【発明の効果】
【００１３】
本発明により、キー出し入れセンサとして機能するキー使用センサの構造が簡単になり、リールストッパを備えたリール型キーホルダー用の低価格の施錠確認支援装置が提供された。また、本発明により、リールストッパ毎にキー使用センサを設置することができるので、複数のキーの施錠確認を個別に行うことができるリール型キーホルダー用の施錠確認支援装置を提供することができた。
【発明を実施するための最良の形態】
【００１４】
本発明は、ゼンマイバネにより付勢されたストラップが巻回されたリールをリールケース内に収納し、前記リールケースのストラップ案内穴を通してケース外に露出させた前記ストラップの自由端にキー取付け金具を固定し、更に前記リールの回転を選択的に禁止するリールストッパを備えたリール型キーホルダーと施錠確認支援用電子装置とで構成された施錠確認支援装置であって、
施錠確認支援用電子装置は、前記リールストッパによるリールの回転規制と規制解除を検出してストラップ巻き戻し信号とストラップ引き延ばし信号とをそれぞれ発生させるキー使用センサと、前記ストラップ巻き戻し信号が発生したときにその時刻を確認時刻としてデータ記憶部に記憶し且つ確認信号が入力されたときには前記データ記憶部に記憶されている確認時刻を読み出して表示器に表示させる電子時計とで構成されていることを特徴とするものである。
【実施例１】
【００１５】
本発明の施錠確認支援装置の実施例１は、リールストッパを備えたリール型キーホルダーと施錠確認支援用電子装置１０とで構成されたものである。前記キーホルダーは２個のリールを備えたもので、従って利用者は２個のキーを引き延ばし自在なストラップに取付けて携帯することができる。実施例１の施錠確認支援装置によれば、リール毎のストラップ引き延ばし信号とストラップ巻き戻し信号が得られるので、複数のキーの使用確認、従って複数のキーの施錠確認を行うことができる。
【００１６】
リールストッパを備えたリール型キーホルダーは、基本的には市販されている周知の構造のキーホルダーと同じものである。即ち、リールストッパを備えたリール型キーホルダーは、図１の斜視図に示す如く、ゼンマイバネにより時計方向又は反時計方向に付勢され且つストラップ５が巻回された２個のリールをリールケース２内に収納し、ストラップ５の自由端をリールケース２のストラップ案内穴２ａを通してケース外に露出させ、キー取付け金具７をストラップ５の自由端に取付けて構成されたストラップ引き延ばし型キーホルダーである。ストラップ５の自由端の近くには、ストラップ５の自由端がリールケース内に巻き込まれないようにするストラップストッパ６が取付けられている。なお、ストラップストッパ６はキー取付け金具７で兼用させることも可能である。リールケース２にヒンジにより取付けられている電子装置用ケース４は、リールストッパ３をカバーする開閉蓋として機能するものである。
【００１７】
リールストッパ３は、軸受９ａによってリールケース２内に回転自在に収納されているリール９の回転を規制するストッパである。リールストッパ３は、図４（Ａ）の規制解除時の断面図と図４（Ｂ）の回転規制時の断面図に示す如く、駆動ボタン３ａが一端にブレーキシュー３ｄが他端に夫々固定された駆動バー３ｂ、駆動バー３ｂをリールストッパ取付け部材３ｅに対して弾性力によって支持する反転バネ３ｃとで構成されている。
【００１８】
施錠確認支援用電子装置１０は、図３のブロック回路図に示す通り、電子時計とキー使用センサ２０とで構成されたものである。そして、前記電子時計は、プログラムに従って各種の演算と制御を行うＣＰＵの如き制御部１１、時刻を計時する計時部１２、前記プログラムが記憶されたＲＯＭの如きプログラム記憶部１３、施錠確認時刻などのデータが記憶されるＲＡＭの如きデータ記憶部１４、時刻設定ボタン１５、液晶表示器１６、及び施錠確認時刻を確認するための確認ボタン１７とで構成されている。前記電子時計の構成要素は、図１に示す如く、リールケース２にヒンジにより取付けられている電子装置用ケース４の内側に配置されている。キー使用センサ２０は、リール型キーホルダーのリールケース２に収納されているリール毎に配置されている。
【００１９】
キー使用センサ２０は、リール型キーホルダーのリールケース２に取付けられ、リールストッパ３の回転規制と規制解除を検出してストラップ巻き戻し信号とストラップ引き延ばし信号とを発生させるオンオフスイッチ型センサである。即ち、キー使用センサ２０は、図４の模式的断面図に示す如く、リールケース２に取付けられたカンチレバー型固定接点バネ２２と、リールストッパ３の中空保持部材３ｅの外側に取付けられたカンチレバー型可動接点バネ２１と、リールストッパ３のブレーキシュー３ｄに取付けられた操作ピン２３とで構成されている。
【００２０】
実施例１の施錠確認支援装置の処理の流れは図５の如くである。但し、説明を複雑にしないために、１個のキーによる施錠行為を対象とする。利用者がリールストッパの開閉蓋である電子装置用ケース４を開け、リールストッパ３の操作ボタン３ａを引き出すとリール９の側面を押圧していたブレーキシュー３ｄはリール９から離間し、これによってリール９は回転可能になる。このリールストッパ３のリール規制解除状態は、反転バネ３ｃの作用により操作ボタン３ａを押し込むまでは保持される。そこで、利用者はリール型キーホルダーからキー１を取り出すと、キー１が自由端に取付けられているストラップ５はリールケース３から引き延ばされ、施錠が可能になる。そして、リールストッパ３のブレーキシュー３ｄに取付けられている操作ピン２３は可動接点バネ２１を固定接点バネ２２に接触させ、キー使用センサ２０をオン状態にし、ストラップ引き延ばし信号を発生させる。制御部１１は、このストラップ引き延ばし信号の発生を検出する（１０１）。
【００２１】
利用者がリール型キーホルダーにキー１を戻すと、キー１が自由端に取付けられているストラップ５はリールケース３内に配置されているリール９にゼンマイバネの作用により自動的に巻き戻される。そこで、利用者がリールストッパ３の操作ボタン３ａを押し込むとブレーキシュー３ｄはリール９の側面を押圧し、これによってリール９の回転は禁止される。このリールストッパ３のリール回転規制状態は、反転バネ３ｃの作用により操作ボタン３を引き出すまでは保持される。そして、リールストッパ３のブレーキシュー３ｄに取付けられている操作ピン２３は可動接点バネ２１を固定接点バネ２２から離間させ、キー使用センサ２０をオフ状態にし、ストラップ巻き戻し信号を発生させる。制御部１１は、このストラップ巻き戻し信号の発生を検出する（１０２）。続いて、制御部１１は、ストラップ引き延ばし信号の発生からストラップ巻き戻し信号の発生までの経過時間ｔを算出し（１０３）、前記経過時間が施解錠所要時間Ｔを越えているか否かを判断する（１０４）。ステップ１０４の判断結果がＹＥＳならば、制御部１１は現在時刻を施錠確認時刻としてデータ記憶部１４に記憶させ（１０５）、そして処理の流れは最初のステップ１０１に戻る。このようにして、利用者は、リール型キーホルダーからキー１を取り出し、施錠を行い、そしてキー１をリール型キーホルダーに戻すだけで、自分が行った施錠行為を施錠確認時刻によって記憶することができる。
【００２２】
ステップ１０４の判断結果がＮＯならば、処理の流れはステップ１０４から最初のステップ１０１に戻る。この場合は、制御部１１は施錠行為がなされなかったと判断したのである。従って、施錠行為や解錠行為以外のときに、ストラップ５がリール型キーホルダーから引き延ばされても、誤った施錠確認時刻の記憶はなされないのである。
【００２３】
ところで、キー使用センサ２０は図４に示した構造のものに限定されないことは勿論である。例えば、図４に示したカンチレバー型可動接点バネ２１と固定接点２２とから構成されたキー使用センサ２０において、カンチレバー型可動接点バネ２１をバネと前記バネに付勢された可動接点の２つの部品で構成することもできる。また、図４のキー使用センサ２０は、ストラップ引き延ばし時にオンでストラップ巻き戻し時にオフとなる構成であるが、ストラップ引き延ばし時にオフでストラップ巻き戻し時にオンとなる構成にしてもよい。更にまた、ストラップ案内穴の周囲に一対の固定接点を設け、且つストラップストッパ６を可動接点に兼用したキー使用センサも構成することもできる。要するに、キー使用センサ２０は、リールストッパ３によるリール９の回転規制と規制解除を検出してストラップ巻き戻し信号とストラップ引き延ばし信号を発生させるものであればどのような構造のセンサであってもよい。
【００２４】
なお、実施例１の施錠確認支援装置において、施錠確認支援装置用電子装置を構成する電子時計はリールケース２にヒンジにより取付けられている電子装置用ケース４の内側に配置されているとしたが、これに限られるものではない。例えば、電子時計収納部を設けたリールケース２を採用し、電子時計を前記電子時計収納部に配置すれば、リースケース電子装置用ケース４を不要とすることができる。
【実施例２】
【００２５】
本発明の施錠確認支援装置の実施例２は、開閉蓋付リールストッパを備えたリール型キーホルダーと施錠確認支援用電子装置１０とで構成されたものである。前記キーホルダーは２個のリールを備えたもので、従って利用者は２個のキーを引き延ばし自在なストラップに取付けて携帯することができる。
【００２６】
リール型キーホルダーは、基本的には市販されている周知の構造のキーホルダーと同じものである。即ち、リールストッパを備えたリール型キーホルダーは、図２の斜視図に示す如く、ゼンマイバネにより時計方向又は反時計方向に付勢され且つストラップ５が巻回された２個のリールをリールケース２内に収納し、ストラップ５の自由端をリールケース２のストラップ案内穴２ａを通してケース外に露出させ、キー取付け金具７をストラップ５の自由端に取付けて構成されたストラップ引き延ばし型キーホルダーである。ストラップ５の自由端の近くには、ストラップ５の自由端がリールケース内に巻き込まれないようにするストラップストッパ６が取付けられている。なお、ストラップストッパ６はキー取付け金具７で兼用させることも可能である。リールケース２にヒンジにより取付けられている電子装置用ケース４は、リールストッパ３をカバーする開閉蓋として機能するものである。
【００２７】
リールストッパ３は、軸受によってリールケース２内に回転自在に収納されているリールの回転を規制するストッパである。即ち、リールストッパ３は、実施例１のリール型キーホルダーに採用されているものと同じもので、例えば、駆動ボタンが一端にブレーキシューが他端に夫々固定された駆動バー、駆動バーをリールストッパ取付け部材に対して弾性力によって支持する反転バネとで構成されている。
【００２８】
施錠確認支援用電子装置１０は、図３のブロック回路図に示す通り、電子時計とキー使用センサ２０とで構成されたものである。そして、前記電子時計は、プログラムに従って各種の演算と制御を行うＣＰＵの如き制御部１１、時刻を計時する計時部１２、前記プログラムが記憶されたＲＯＭの如きプログラム記憶部１３、施錠確認時刻などのデータが記憶されるＲＡＭの如きデータ記憶部１４、時刻設定ボタン１５、液晶表示器１６、及び施錠確認時刻を確認するための確認ボタン１７とで構成されている。前記電子時計の構成要素は、図２に示す如く、リールケース２にヒンジにより取付けられている電子装置用ケース４の内側に配置されている。また、キー使用センサ２０も電子装置用ケース４に配置されている。
【００２９】
キー使用センサ２０は、検出ピンを備えた機械的スイッチやメンブレンスイッチの如き簡単な構造の蓋開閉センサである。それ故、従来の複雑な構造のキー出し入れセンサに比較すると、プラスチック製カード型ケースである電子装置用ケース４に、キーケース開閉センサ４を組み付けることは極めて容易である。
【００３０】
実施例２の施錠確認支援装置の処理の流れは図５の如くである。利用者がリールストッパ３の開閉蓋である電子装置用ケース４を開けると、キー使用センサ２０は開閉蓋が開かれたことを検出し、ストラップ引き延ばし信号を発生させる。制御部１１は、このストラップ引き延ばし信号の発生を検出する（１０１）。
【００３１】
利用者が施錠を行い、リール型キーホルダーにキー１を戻すと、キー１が自由端に取付けられているストラップ５はリールケース３内に配置されているリール９にゼンマイバネの作用により自動的に巻き戻される。そこで、利用者がリールストッパ３の開閉蓋である電子装置用ケース４を閉じると、キー使用センサ２０は開閉蓋が閉じられたことを検出し、ストラップ巻き戻し信号を発生させる。制御部１１は、このストラップ巻き戻し信号の発生を検出する（１０２）。続いて、制御部１１は、ストラップ引き延ばし信号の発生からストラップ巻き戻し信号の発生までの経過時間ｔを算出し（１０３）、前記経過時間が施解錠所要時間Ｔを越えているか否かを判断する（１０４）。ステップ１０４の判断結果がＹＥＳならば、制御部１１は現在時刻を施錠確認時刻としてデータ記憶部１４に記憶させ（１０５）、そして処理の流れは最初のステップ１０１に戻る。このようにして、利用者は、リール型キーホルダーからキー１を取り出し、施錠を行い、そしてキー１をリール型キーホルダーに戻すだけで、自分が行った施錠行為を施錠確認時刻によって記憶することができる。
【００３２】
ステップ１０４の判断結果がＮＯならば、処理の流れはステップ１０４から最初のステップ１０１に戻る。この場合は、制御部１１は施錠行為がなされなかったと判断したのである。例えば、利用者が誤って電子装置用ケース４を開閉した場合や、開いたけれども施錠しないで直ぐに閉じた場合など、制御部１１が上述の判断を行うことになる。
【図面の簡単な説明】
【００３３】
【図１】リールストッパを備えたリール型キーホルダーと施錠確認支援用電子装置とで構成された施錠確認支援装置の実施例１の斜視図である。
【図２】開閉蓋付リールストッパを備えたリール型キーホルダーと施錠確認支援用電子装置とで構成された施錠確認支援装置の実施例２の斜視図である。
【図３】施錠確認支援用電子装置のブロック回路図の一例である。
【図４】キー使用センサを模式的に示した実施例１の施錠確認支援装置の断面図で、（Ａ）はリールストッパによるリールの規制が解除されてストラップが引き延ばされた状態を、（Ｂ）はストラップが巻き戻されてリールストッパによりリールが回転規制された状態を夫々示す。
【図５】施錠確認支援装置の処理の流れの一例を示したフローチャートである。
【符号の説明】
【００３４】
１  キー
２  リール型キーホルダーのケース
３  リールストッパ
３ａ  操作ボタン
３ｂ  操作バー
３ｃ  反転バネ
３ｄ  ブレーキシュー
３ｅ  リールストッパの取付け部材
５  ストラップ
６  ストラップストッパ
７  キー取付け金具
８  キー取付け補助部材
９  リール
９ａ  軸受
１０  施錠確認支援用電子装置
１１  制御部
１２  計時部
１３  プログラム記憶部
１４  データ記憶部
１５  時刻設定ボタン
１６  液晶表示器
１７  確認ボタン
１５  時刻設定ボタン
１６  液晶表示器
１７  確認ボタン
２０  キー使用センサ
２１  可動接点バネ
２２  固定接点バネ
２３  操作ピン
【図１】
2007031952.tif 000003
【図２】
2007031952.tif 000004
【図３】
2007031952.tif 000005
【図４】
2007031952.tif 000006
【図５】
2007031952.tif 000007